(57)【要約】【課題】使用者の位置に合わせて適切な暖房感が得られるようにして、暖房感と使い勝手の向上させ、快適性の高い暖房装置の実現を目的としたものである。【解決手段】棒状の発熱体ユニットを配設した熱源ユニットを上下方向に積み重ねるように複数段配設するとともに、少なくとも一つ以上の熱源ユニットを上下方向に傾斜自在に接合する回転接合部を有するので、熱源ユニットを上下方向に傾斜させることで傾斜角度の異なる熱源ユニットから放射された熱の上下方向の重なり、即ち干渉を生じ、その干渉度合いを熱源ユニットの傾斜で調整することで、使用者に当たる熱量を変化させ、適切な暖房感を得ることができるようになり、暖房感と使い勝手の向上が図れるようになる。【選択図】図１
2005180840.tif 000002
【特許請求の範囲】
【請求項１】
熱源の熱を前方へ反射する反射板と、熱源として前方へ熱放射しかつ垂直に配置した棒状の発熱体ユニットと、前記反射板と発熱体ユニットを内蔵した熱源ユニットからなり、前記熱源ユニットを上下方向に積み重ねるように複数段配設するとともに、少なくとも一つ以上の熱源ユニットを上下方向に傾斜自在に接合する接合手段を配設してなる電気ストーブ。
【請求項２】
熱源ユニットを上下方向に積み重ねるように複数段配設するとともに、最上段と最下段に位置する熱源ユニットを上下方向に傾斜自在に接合し、かつ、最上段の熱源ユニットを下方に傾斜させたとき、最下段の熱源ユニットを上方に傾斜させ熱源ユニットからの熱が集中するように、また最上段の熱源ユニットを上方に傾斜させたとき、最下段の熱源ユニットを下方に傾斜させ熱源ユニットからの熱が拡散するように熱源ユニットを接合するリンク接合手段を配設してなる請求項１に記載の電気ストーブ。
【請求項３】
発熱体ユニットは、炭素系発熱体と、前記炭素系発熱体を覆う管体とからなる請求項１または２に記載の電気ストーブ。
【請求項４】
各熱源ユニットの発熱体ユニットを選択的に通電可能とする通電選択手段を配設してなる請求項１〜３のいずれか１項記載の記載の電気ストーブ。
【発明の詳細な説明】
【技術分野】
【０００１】
本発明は、電気暖房器具に利用する電気ストーブに関するものである。
【背景技術】
【０００２】
従来、この種の電気ストーブは、縦型石英管ヒータユニットを内蔵する縦長筐体状のケースと、このケースの上方ならびに下方に配設され、ケースを上下より回動自在に枢支する上部体およびスタンドと、このスタンドより上方に立設し、上部体と固着する支持体と、ケースを左右に首振揺動させる揺動駆動装置を構成しているものがあった（例えば、特許文献１参照）。
【０００３】
図８は、特許文献１に記載された従来の電気ストーブを示すものである。例えば、図８に示すように、１は前面が開口した縦長筐体状のケースで、２は縦長筐体状のケース１に配設された上部縦型石英管ヒータユニットで、３は同じく下部縦型石英管ヒータユニットである。４は上部縦型石英管ヒータユニット２の背面に設けられた放物線形状の上部反射板で、５は下部縦型石英管ヒータユニット３の背面に設けられた放物線形状の下部反射板である。６は縦長筐体状のケース１の上方に配設され、ケース１を回動自在に枢支する上部体で、７は上部体６を固定する天板で、８は天板７のほぼ中央に位置し、上部縦型石英管ヒータユニット２および下部縦型石英管ヒータユニット３の通電を入切する電源スイッチである。９は上部体６の背面に固着された支持体で、この支持体９の下端は、ケース１の下部に配設した設置用のスタンド１０が固定されている。また、ケース１の下部内には、ケース１を左右に首振揺動させる揺動駆動装置１１が埋設されている。
【特許文献１】特開昭６１−２４６５２３号公報（第４−５頁、第２図）
【発明の開示】
【発明が解決しようとする課題】
【０００４】
しかしながら、上記従来の構成では、該機器の暖房出力が一定であると、使用者に当たる熱量は、該機器と使用者の位置（距離）のみに左右されるため、使用者が適切な暖房感を得ようとすると、該機器と使用者の位置を近づけたり遠ざけたりする必要があり、該機器の設置条件に制約を生じ、例えば、狭い部屋で暖房感がありすぎて遠ざけて使いたいができなかったり、広い部屋で暖房感を多く得ようとして近づけて使用しなくてはならず、せっかく広い部屋なのに該機器が邪魔になったりする心配があった。
【０００５】
またその為に、上部縦型石英管ヒータユニット２および下部縦型石英管ヒータユニット３の通電を入切して、暖房能力を切り換えると、２段階であるため、暖房感が急激に変化し、どちらかを切ると寒くなりすぎるし、両方入りにすると熱くなりすぎ、結局、上述のように、該機器と使用者の位置を近づけたり遠ざけたりするようになり、使い勝手の悪いという問題を有していた。
【０００６】
上記従来の技術の問題点に鑑み、本発明が解決しようとする課題は、使用者の位置に合わせて適切な暖房感が得られる電気ストーブを提供することを目的とする。
【課題を解決するための手段】
【０００７】
上記従来の課題を解決するために、本発明の電気ストーブは、熱源の熱を前方へ反射する反射板と、熱源として前方へ熱放射しかつ垂直に配置した棒状の発熱体ユニットと、上記反射板と発熱体ユニットを内蔵した熱源ユニットからなり、上記熱源ユニットを上下方向に積み重ねるように複数段配設するとともに、少なくとも一つ以上の熱源ユニットを上下方向に傾斜自在に接合する接合手段を配設した構成としてある。
【０００８】
上記発明によれば、接合手段で熱源ユニットを上下方向に傾斜自在に変えられるので、熱源ユニットを上下方向に傾斜させることで傾斜角度の異なる熱源ユニットから放射された熱の上下方向の重なり、即ち干渉を生じ、その干渉度合いを熱源ユニットの傾斜で調整することで、使用者に当たる熱量を変化させ、適切な暖房感を得ることができるようになり、暖房感と使い勝手の向上が図れるようになる。
【０００９】
例えば、熱源ユニットを上下方向に３段積み重ねたものにおいて、上熱源ユニットを下方へ傾斜させ、中熱源ユニットをそのまま垂直に、そして下熱源ユニットを上方へ傾斜させた状態では、中熱源ユニットから放射される熱に上熱源ユニットと下熱源ユニットから放射された熱の上下方向の重なりを生じ、すなわち３つの熱源ユニットの放射された熱が重なるような干渉が最も強くなるような位置が使用者に当たる熱の強度が強くなる。
【００１０】
そしてこの干渉が最も強くなるような位置は、それぞれの熱源ユニットの傾斜角度によって、該機器からの距離を変化させることができるようになる。
【００１１】
また、上熱源ユニットを上方へ傾斜させ、そして下熱源ユニットを下方へ傾斜させて、それぞれの熱源ユニットから放射された熱の上下方向の重なりすなわち干渉が少なくなるようにすると、使用者に当たる熱の強度が弱くなっていき量も減少していくようになる。
【００１２】
そして、この熱源ユニットの傾斜角度を調整することで、使用者の位置が干渉が最も強くなるようにして熱源ユニットから放射された熱の強度が強くなるようにしたり、使用者の位置より若干離すようにしたり、また、熱源ユニットの熱の干渉があまりないような設定として、使用者に当たる熱の強度を弱くして量も減少させるなど、該機器の位置を動かさなくても、使用者の暖房感を変えることができるようになる。
【発明の効果】
【００１３】
本発明の電気ストーブは、回転接合部で熱源ユニットを上下方向に傾斜自在に変えることができるので、熱源ユニットを上下方向に傾斜させることで傾斜角度の異なる熱源ユニットから放射された熱の上下方向の重なり、即ち干渉が生じ、その干渉度合いを熱源ユニットの傾斜で調整することで、使用者に当たる熱量を変化させ、適切な暖房感を得ることができるようになり、暖房感と使い勝手の向上が図れるようになる。
【発明を実施するための最良の形態】
【００１４】
第１の発明は、熱源の熱を前方へ反射する反射板と、熱源として前方へ熱放射しかつ垂直に配置した棒状の発熱体ユニットと、上記反射板と発熱体ユニットを内蔵した熱源ユニットからなり、上記熱源ユニットを上下方向に積み重ねるように複数段配設するとともに、少なくとも一つ以上の熱源ユニットを上下方向に傾斜自在に接合する接合手段を配設した構成としてある。
【００１５】
そして、接合手段で熱源ユニットを上下方向に傾斜自在に変えられるので、熱源ユニットを上下方向に傾斜させることで傾斜角度の異なる熱源ユニットから放射された熱の上下方向の重なり、即ち干渉を生じ、その干渉度合いを熱源ユニットの傾斜で調整することで、使用者に当たる熱量を変化させ、適切な暖房感を得ることができるようになり、暖房感と使い勝手の向上が図れるようになる。
【００１６】
例えば、熱源ユニットを上下方向に３段積み重ねたものにおいて、上熱源ユニットを下方へ傾斜させ、中熱源ユニットをそのまま垂直に、そして下熱源ユニットを上方へ傾斜させた状態では、中熱源ユニットから放射される熱に上熱源ユニットと下熱源ユニットから放射された熱の上下方向の重なりを生じ、すなわち３つの熱源ユニットの放射された熱が重なるような干渉が最も強くなるような位置が使用者に当たる熱の強度が強くなる。
【００１７】
そしてこの干渉が最も強くなるような位置は、それぞれの熱源ユニットの傾斜角度によって、該機器からの距離を変化させることができるようになる。
【００１８】
また、上熱源ユニットを上方へ傾斜させ、そして下熱源ユニットを下方へ傾斜させて、それぞれの熱源ユニットから放射された熱の上下方向の重なりすなわち干渉が少なくなるようにすると、使用者に当たる熱の強度が弱くなっていき量も減少していくようになる。
【００１９】
そして、この熱源ユニットの傾斜角度を調整することで、使用者の位置が干渉が最も強くなるようにして熱源ユニットから放射された熱の強度が強くなるようにしたり、使用者の位置より若干離すようにしたり、また、熱源ユニットの熱の干渉があまりないような設定として、使用者に当たる熱の強度を弱くして量も減少させるなど、該機器の位置を動かさなくても、使用者の暖房感を変えることができるようになる。
【００２０】
第２の発明は、特に、第１の発明の最上段と最下段に位置する熱源ユニットを上下方向に傾斜自在に接合し、かつ、最上段の熱源ユニットを下方に傾斜させたとき、最下段の熱源ユニットを上方に傾斜させ熱源ユニットからの熱が集中するように、また最上段の熱源ユニットを上方に傾斜させたとき、最下段の熱源ユニットを下方に傾斜させ熱源ユニットからの熱が拡散するように熱源ユニットを接合するリンク接合手段を配設した構成としてある。
【００２１】
そして、最上段と最下段に位置する熱源ユニットを上下方向に傾斜自在に接合し、かつ、最上段の熱源ユニットを下方に傾斜させたとき、最下段の熱源ユニットを上方に傾斜させ熱源ユニットからの熱が集中するように、また最上段の熱源ユニットを上方に傾斜させたとき、最下段の熱源ユニットを下方に傾斜させ熱源ユニットからの熱が拡散するように熱源ユニットを接合するリンク接合手段を配設してあるので、請求項１記載の干渉度合いを熱源ユニットの傾斜で調整して、暖房感と使い勝手の向上が図れる効果が最も簡単な構成で得られるとともに、使用者が動かし易い高い位置の最上段の熱源ユニットの傾斜を変えることで、最下段の熱源ユニットの傾斜を変えることができるので、使用者が熱源ユニットの傾斜を簡単に調整できるようになり、より使い勝手が向上できる。
【００２２】
第３の発明は、特に、第１または第２の発明の発熱体ユニットを、炭素系発熱体と、上記炭素系発熱体を覆う管体とから構成してある。
【００２３】
そして、発熱体ユニットは、炭素系発熱体と、上記炭素系発熱体を覆う管体とから構成してあるので、熱放射効率が高くなり、熱放射エネルギー量を多くすることができるとともに、熱放射の指向性が高く、請求項１の干渉度合いを熱源ユニットの傾斜で調整することの効果がよりいっそう得られるようになる。
【００２４】
第４の発明は、特に、第１〜３のいずれか１つの発明の各熱源ユニットの発熱体ユニットを、選択的に通電可能とする通電選択手段を配設した構成としてある。
【００２５】
そして、各熱源ユニットの発熱体ユニットは、選択的に通電可能とする通電選択手段を配設してあるので、それぞれの熱源ユニットの各発熱体ユニットをそれぞれ単独または同時に通電することが可能になり、使用者の使用する姿勢に対応しての暖房が行なえ、熱源ユニットの干渉度合いの調整をより細かに設定できるようになり、暖房感を向上できる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における電気ストーブの斜視図、図２は、同実施例１における電気ストーブの概略縦断面図、図３は同実施例１における電気ストーブの制御ブロック図、図４は、電気ストーブの熱が集中するように傾斜させた場合の一例を示す状態図で、図５は、同実施例１における電気ストーブの熱が拡散するように傾斜させた場合の一例を示す状態図である。
【００２８】
図１及び図２において、上熱源ユニット２１は、前面を縦方向に開口した縦長円形筐体状の上ケース２２と、上ケース２２内に縦方向に内蔵された棒状の上発熱体ユニット２３と、上発熱体ユニット２３の背面に配設された上発熱体ユニット２３を焦点とする反射板としての放物線形状の上反射板２４とから構成されている。
【００２９】
また中熱源ユニット２５は、上熱源ユニット２１の下部に位置するもので、同様に、前面を縦方向に開口した縦長円形筐体状の中ケース２６と、中ケース２６内に縦方向に内蔵された棒状の中発熱体ユニット２７と、中発熱体ユニット２７の背面に配設された中発熱体ユニット２７を焦点とする反射板としての放物線形状の中反射板２８とから構成されている。
【００３０】
そして、下熱源ユニット２９は、中熱源ユニット２５の下部に位置するもので、同様に、前面を縦方向に開口した縦長円形筐体状の下ケース３０と、下ケース３０内に縦方向に内蔵された棒状の下発熱体ユニット３１と、下発熱体ユニット３１の背面に配設された下発熱体ユニット３１を焦点とする反射板としての放物線形状の下反射板３２とから構成されている。
【００３１】
また、それぞれの棒状の発熱体ユニット２３・２７・３１は、それぞれ炭素系発熱体３３・３４・３５と、この炭素系発熱体３３・３４・３５を覆う管体３６・３７・３８とから構成されている。
【００３２】
支持支柱３９は、それぞれの熱源ユニット２１・２５・２９をその中央部で接合手段である傾斜自在に接合する回転接合部２１ａ・２５ａ・２９ａを保持するもので、支持支柱３９の保持部はそれぞれの熱源ユニット２１・２５・２９を所定の角度まで上下方向に回転できるようにしてあり、その間はどの位置でも傾斜した状態で保持できるように構成してある。この支持支柱３９の下部には支持支柱３９を支持する支持台４０が配設してあり、また、支持支柱３９の上面には、操作部４５が設けられていて、図３に示すように、この操作部４５に設けた通電選択手段であるスイッチ４２・４３・４４によって制御部４１はそれぞれの熱源ユニット２１・２５・２９の発熱体ユニット２３・２７・３１の通電を選択的に入切操作するようになっている。
【００３３】
上記実施例における電気ストーブについて、以下その動作と作用を説明する。まず、スイッチ４２・４３・４４を入れて、それぞれの熱源ユニット２１・２５・２９の発熱体ユニット２３・２７・３１の通電を開始すると、棒状の発熱体ユニット２３・２７・３１より発生する放射熱が直接もしくは反射板２４・２８・３２にて反射され前方へ輻射され、発熱体ユニット２３・２７・３１より発生する放射熱で、使用者は暖を取るようになる。
【００３４】
ここで、それぞれの熱源ユニット２１・２５・２９はその中央部で傾斜自在に接合する回転接合部２１ａ・２５ａ・２９ａを中心に傾斜自在に位置され保持できるので、それぞれの熱源ユニット２１・２５・２９を上下方向に傾斜させることで傾斜角度の異なるそれぞれの熱源ユニット２１・２５・２９から放射された熱の上下方向の重なり、即ち干渉を生じ、その干渉度合いをそれぞれの熱源ユニット２１・２５・２９の傾斜で調整することで、使用者に当たる熱量を変化させ、適切な暖房感を得ることができるようになり、暖房感と使い勝手の向上が図れるようになる。
【００３５】
例えば、上部熱源ユニット２１を下方へ傾斜させ、中段熱源ユニット２５をそのまま垂直に、そして下部熱源ユニット２９を上方へ傾斜させて、中段熱源ユニット２５から放射される熱に上部熱源ユニット２１と下部熱源ユニット２９から放射された熱の上下方向の重なり、すなわち３つの熱源ユニットの放射された熱が重なるようなすなわち干渉が最も強くなるような位置が使用者に当たる熱の強度が強くなる。そしてこの干渉が最も強くなるような位置は、それぞれの熱源ユニット２１・２５・２９の傾斜角度によって、該機器からの距離を変化させることができるようになる。つまり、この様な状態は暖房範囲の狭く強い暖房感がほしいスポット暖房に適し、図４に示すように、該機器の熱の放射が集中するので、該機器を使用者から離して使用しても強い暖房感が得られ、使用者と該機器の位置関係が変化しても、それに対応して熱源ユニットの傾きを調整することで、対応できるようになる。
【００３６】
また、上部熱源ユニット２１を上方へ傾斜させ、そして下部熱源ユニット２９を下方へ傾斜させて、それぞれの熱源ユニット２１・２５・２９から放射された熱の上下方向の重なりすなわち干渉が少なくなるようにすると、使用者に当たる熱の強度が弱くなっていき量も減少していきようになる。つまり、この様な状態は暖房範囲の広く穏やかな暖房感がほしいワイド暖房に適し、図５に示すように、該機器の熱の放射が拡散するので、該機器を使用者から近づけ使用しても穏やかな暖房感が得られ、使用者と該機器の位置関係が変化しても、それに対応して熱源ユニットの傾きを調整することで、対応できるようになる。
【００３７】
このように、それぞれの熱源ユニット２１・２５・２９の傾斜角度を調整することで、使用者の位置が干渉が最も強くなるようにして熱源ユニットから放射された熱の強度が強くなるようにしたり、使用者の位置より若干離すようにしたり、また、それぞれの熱源ユニット２１・２５・２９の熱の干渉があまりないような設定として、使用者に当たる熱の強度を弱くして量も減少させるなど、該機器の位置を動かさなくても、使用者の暖房感を変えることができ、使い勝手が大幅に向上するようになる。
【００３８】
また、棒状の発熱体ユニット２３・２７・３１は、炭素系発熱体３３・３４・３５と、この炭素系発熱体３３・３４・３５を覆う管体３６・３７・３８とから構成してあるので、熱放射効率が高くなり、熱放射エネルギー量を多くすることができるとともに、熱放射の指向性が高く、上述の干渉度合いをそれぞれの熱源ユニット２１・２５・２９の傾斜で調整することの効果がよりいっそう得られるようになる。
【００３９】
さらに、各熱源ユニット２１・２５・２９の発熱体ユニット２３・２７・３１は、選択的に通電可能に入切操作するスイッチ４２・４３・４４を配設してあるので、それぞれの発熱体ユニット２３・２７・３１を単独または同時に通電することが可能になり、使用者の使用する姿勢に対応しての暖房が行なえ、熱源ユニット２１・２５・２９の干渉度合いの調整をより細かに設定できるようになり、使い勝手を向上できる。
【００４０】
また、棒状の発熱体ユニット２３・２７・３１長手方向が上下方向になるようにして積み重ねるように、熱源ユニット２１・２５・２９を配置させたので、設置面積が少なくなり、狭い場所でも設置することができる。
【００４１】
（実施の形態２）
図６は、本発明の第２の実施の形態における電気ストーブの熱が集中するように傾斜させた一例を示す状態図、図７は電気ストーブの熱が拡散するように傾斜させた一例を示す状態図である。本実施例は、熱源ユニットを２段とし上熱源ユニットの傾斜を変えると同時に下熱源ユニットの傾斜が変えられるようになっている点で、実施例１の発明と異なり、それ以外の同一構成並びに作用効果を奏する部分には同一の符号を付して詳細な説明を省略し、異なるところを中心に説明する。
【００４２】
図６及び図７において、上熱源ユニット５１は、前面を縦方向に開口した縦長円形筐体状の上ケース５２と、上ケース５２内に縦方向に内蔵された棒状の上発熱体ユニット５３と、上発熱体ユニット５３の背面に配設された上発熱体ユニット５３を焦点とする反射板としての放物線形状の上反射板５４とから構成されている。
【００４３】
また、下熱源ユニット５５は、上熱源ユニット５１の下部に位置するもので、同様に、前面を縦方向に開口した縦長円形筐体状の下ケース５６と、下ケース５６内に縦方向に内蔵された棒状の下発熱体ユニット５７と、下発熱体ユニット５７の背面に配設された下発熱体ユニット５７を焦点とする反射板としての放物線形状の下反射板５８とから構成されている。
【００４４】
支持支柱５９は、上熱源ユニット５１と下熱源ユニット５５をそれぞれの中央部で傾斜自在に接合する回転接合部５１ａ・５５ａを保持するもので、支持支柱５９の保持部はそれぞれの熱源ユニット５１・５５を所定の角度まで上下方向に回転できるようにしてあり、その間はどの位置でも傾斜した状態で保持できるように構成してあり、また支持支柱５９の下部には支持支柱５９を支持する支持台６０が配設してある。
【００４５】
そして、上熱源ユニット５１を下方に傾斜させたとき、下熱源ユニット５５を上方に傾斜させ、熱源ユニット５１・５５からの熱が集中するように、また上熱源ユニット５１を上方に傾斜させたとき、下熱源ユニット５５を下方に傾斜させ熱源ユニット５１・５５からの熱が拡散するように熱源ユニット５１と熱源ユニット５５を接合するリンク接合手段６１を配設した構成としてある。
【００４６】
上記した構成において、上熱源ユニット５１を回転接合部５１ａを中心に回転させて傾斜させると、下熱源ユニット５５はリンク接合手段６１によって上熱源ユニット５１の回転方向と反対方向に回転接合部５５ａを中心に回転して傾斜するようになる。つまり、上熱源ユニット５１を下方に傾斜させたとき、下熱源ユニット５５を上方に傾斜させ熱源ユニット５１・５５からの熱が集中するように、また上熱源ユニット５１を上方に傾斜させたとき、下熱源ユニット５５を下方に傾斜させ熱源ユニット５１・５５からの熱が拡散するように、上熱源ユニット５１の操作だけで下熱源ユニット５５を同時に傾斜させるリンク接合手段６１を配設してあるので、実施の形態１の干渉度合いを熱源ユニット５１・５５の傾斜で調整して、暖房感と使い勝手の向上が図れる効果が最も簡単な構成で得られるとともに、使用者が動かし易い高い位置の上熱源ユニット５１の傾斜を変えることで、下熱源ユニット５５の傾斜を変えることができるので、使用者が熱源ユニット５１・５５の傾斜を簡単に調整できるようになり、より使い勝手が向上できる。
【００４７】
なお、熱源ユニットを本実施の形態１では３段、本実施の形態２では２段として上下方向に積み重ねるようにした構成で説明したが、これは、熱源ユニットから放射される熱の干渉が調整できる複数段であればよく、熱源ユニットの数が増えれば増えるほど、熱源ユニットの干渉度合いの調整をより細かに設定できるようになり、暖房感を向上できる。
【００４８】
また、熱源ユニットのすべてが上下方向に傾斜自在にするような構成で説明したが、これは積み重ねた熱源ユニットの何れかでよく、それぞれの傾斜角度も個別に設定してよく、その他各部の構成も本発明の目的を達成する範囲であればその構成はどのようなものであってもよい。
【産業上の利用可能性】
【００４９】
以上のように、本発明にかかる電気ストーブは、回転接合部で熱源ユニットを上下方向に傾斜自在に変えられるので、熱源ユニットを上下方向に傾斜させることで傾斜角度の異なる熱源ユニットから放射された熱の上下方向の重なり、即ち干渉を生じ、その干渉度合いを熱源ユニットの傾斜で調整することで、使用者に当たる熱量を変化させ、適切な暖房感を得ることができるようになり、暖房感と使い勝手の向上が図れるようになるので、電気暖房器具に利用する電気ストーブ等の用途に適用できる。
【図面の簡単な説明】
【００５０】
【図１】本発明の実施の形態１における電気ストーブの斜視図
【図２】同実施の形態１における電気ストーブの概略縦断面図
【図３】同実施の形態１における電気ストーブの制御ブロック図
【図４】同実施の形態１における電気ストーブの熱が集中するように傾斜させた一例を示す状態図
【図５】同実施の形態１における電気ストーブの熱が拡散するように傾斜させた一例を示す状態図
【図６】本発明の実施の形態２における電気ストーブの熱が集中するように傾斜させた一例を示す状態図
【図７】同実施の形態２における電気ストーブの熱が拡散するように傾斜させた一例を示す状態図
【図８】従来の電気ストーブの斜視図
【符号の説明】
【００５１】
２１、２５、２９  熱源ユニット
２２、２６、３０  ケース
２３、２７、３１  発熱ユニット
２４、２８、３２  反射板
３３、３４、３５  炭素系発熱体
３６、３７、３８  管体
２１ａ、２５ａ、２９ａ  回転接合部（接合手段）
４２、４３、４４  スイッチ（通電選択手段）
５１、５５  熱源ユニット
５２、５６  ケース
５３、５７  発熱ユニット
５４、５８  反射板
５１ａ、５５ａ  回転接合部
６１  リンク接合手段
【図１】
2005180840.tif 000003
【図２】
2005180840.tif 000004
【図３】
2005180840.tif 000005
【図４】
2005180840.tif 000006
【図５】
2005180840.tif 000007
【図６】
2005180840.tif 000008
【図７】
2005180840.tif 000009
【図８】
2005180840.tif 000010